(57)【要約】【課題】本発明の一態様によると、サービングセル変更時に通信システム中の情報をスケジュールする方法が提供される。【解決手段】サービングセルがユーザ端末（ＵＥ）に対して変更された場合、新サービングセルが以前のサービング拡張データチャネル（ＥＤＣＨ）無線リンクセット（ＲＬＳ）に属していたか否かが判断される。ユーザ端末は、新サービングセルが以前のサービングＥＤＣＨ  ＲＬＳに属していなかったと判断する場合にのみ、サービングセル変更の終了後に、アップリンクに伝送された第１のＭＡＣ−ｅプロトコルデータユニット（ＰＤＵ）内のスケジューリング情報（ＳＩ）を伝送する。換言すると、ＵＥは、基地局（ノードＢ）も変更された場合にのみ、サービングセル変更時にＳＩを伝送する。【選択図】図１
2008547343.tif 000002
【特許請求の範囲】
【請求項１】
サービングセルが新サービングセルに変更されたことをユーザ端末（ＵＥ）に通知するステップと、
前記新サービングセルが以前のサービング無線リンクセットに属していたか否かを、前記ＵＥで判断するステップと、
前記新サービングセルが前記以前のサービング無線リンクセットに属していなかったと判断された時、前記ＵＥからスケジューリング情報（ＳＩ）を送るステップと、
を含む、サービングセル変更時に通信システム中の情報をスケジュールする方法。
【請求項２】
前記無線リンクセットは、拡張専用伝送チャネル（ＥＤＣＨ）無線リンクセットを含む、請求項１に記載の方法。
【請求項３】
前記伝送ステップは、前記サービングセル変更の終了後に、アップリンクに伝送された第１の媒体アクセス制御（ＭＡＣ）プロトコルデータユニット（ＰＤＵ）内の前記スケジューリング情報を送ることを含む、請求項１に記載の方法。
【請求項４】
前記ＭＡＣ  ＰＤＵは、ＭＡＣ−ｅＰＤＵを含む、請求項３に記載の方法。
【請求項５】
ユーザ端末と、
基地局と、
サービングセルの変更を前記ユーザ端末に通知するように構成されたネットワークノードと、
を含み、
前記ユーザ端末は、新サービングセルが以前のサービングセル無線リンクセットに属していたか否かを判断するように構成され、
前記ユーザ端末は、さらに、前記新サービングセルが前記以前のサービング無線リンクセットに属していなかったと判断された時、前記基地局にスケジューリング情報を送るように構成された通信システム。
【請求項６】
前記無線リンクセットは、拡張専用伝送チャネル（ＥＤＣＨ）無線リンクセットを含む、請求項５に記載の通信システム。
【請求項７】
前記ユーザ端末は、前記サービングセル変更の終了後に、アップリンクに伝送された第１の媒体アクセス制御（ＭＡＣ）プロトコルデータユニット（ＰＤＵ）内の前記スケジューリング情報を伝送する、請求項５に記載の通信システム。
【請求項８】
前記ＭＡＣ  ＰＤＵは、ＭＡＣ−ｅＰＤＵを含む、請求項７に記載の通信システム。
【請求項９】
前記ネットワークノードは、無線資源制御（ＲＲＣ）シグナリングを含む、請求項５に記載の通信システム。
【請求項１０】
サービングセルが新サービングセルに変更されたことをユーザ端末（ＵＥ）に通知する通知手段と、
前記新サービングセルが以前のサービング無線リンクセットに属していたか否かを、前記ＵＥで判断する判断手段と、
前記新サービングセルが前記以前のサービング無線リンクセットに属していなかったと判断された時、前記ＵＥからスケジューリング情報（ＳＩ）を伝送する伝送手段と、
を含む通信システム。
【請求項１１】
前記判断手段は、前記新サービングセルが以前の拡張専用伝送チャネル（ＥＤＣＨ）無線リンクセットに属していたか否かを判断する手段を含む、請求項１０に記載の通信システム。
【請求項１２】
前記伝送手段は、前記サービングセル変更の終了後に、アップリンクに伝送された第１の媒体アクセス制御（ＭＡＣ）プロトコルデータユニット（ＰＤＵ）内の前記スケジューリング情報を送る手段を含む、請求項１０に記載の通信システム。
【請求項１３】
前記ＭＡＣ  ＰＤＵは、ＭＡＣ−ｅＰＤＵを含む、請求項１２に記載の通信システム。
【請求項１４】
前記通知手段は、無線資源制御（ＲＲＣ）シグナリングを含む、請求項１０に記載の通信システム。
【請求項１５】
サービングセルが新サービングセルに変更されたことをユーザ端末（ＵＥ）に通知するステップと、
前記ＵＥに前記サービングセルが変更されたことが通知された時、前記ＵＥからスケジューリング情報（ＳＩ）を伝送するステップと、
を含む、サービングセル変更時に通信システム中の情報をスケジュールする方法。
【請求項１６】
前記伝送ステップは、前記サービングセル変更の終了後に、アップリンクに伝送された第１の媒体アクセス制御（ＭＡＣ）プロトコルデータユニット（ＰＤＵ）内の前記スケジューリング情報を伝送することを含む、請求項１５に記載の方法。
【請求項１７】
前記ＭＡＣ  ＰＤＵは、ＭＡＣ−ｅＰＤＵを含む、請求項１６に記載の方法。
【請求項１８】
ユーザ端末と、
基地局と、
サービングセルの変更を前記ユーザ端末に通知するように構成されたネットワークノードと、
を含み、
前記ユーザ端末は、前記サービングセルが変更された時、前記基地局にスケジューリング情報を伝送するように構成された通信システム。
【請求項１９】
前記ユーザ端末は、前記サービングセル変更の終了後にアップリンクに送信された第１の媒体アクセス制御（ＭＡＣ）プロトコルデータユニット（ＰＤＵ）に前記スケジューリング情報を伝送する、請求項１８に記載の通信システム。
【請求項２０】
前記ＭＡＣ  ＰＤＵは、ＭＡＣ−ｅＰＤＵを含む、請求項１９に記載の通信システム。
【請求項２１】
前記ネットワークノードは、無線資源制御（ＲＲＣ）シグナリングを含む、請求項１８に記載の通信システム。
【発明の詳細な説明】
【技術分野】
【０００１】
本出願は、２００５年７月５日付で出願された、アメリカ仮出願第６０／６９５，８７３号の優先権を主張している。仮出願の内容はここに参照により援用する。
【０００２】
本発明は、無線通信に関し、詳しくは、アップリンク専用の伝送チャネルの性能を改善するための方法およびシステムに関する。さらに詳しくは、本発明は、サービングセル変更時のスケジューリング情報（ｓｃｈｅｄｕｌｉｎｇ  ｉｎｆｏｒｍａｔｉｏｎ：ＳＩ）の伝送方法およびシステムに関する。
【背景技術】
【０００３】
通信システムは、ユーザ端末（ｕｓｅｒ  ｅｑｕｉｐｍｅｎｔ：ＵＥ）および／またはそのシステムと関連する他のノードのような２以上のエンティティの間で通信を可能にする設備であると単純に考えられる。このような通信は、例えば、音声、データ、マルチメディアなどを含む。通信システムには、回線交換型や、パケット交換型がある。また、通信システムは、無線通信を提供するように構成されることもある。広い地理的領域にわたって通信装置の移動性をサポートすることができる通信システムは、一般的に移動またはセルラ通信システムと呼ばれる。セルラ通信システムで、通信装置またはユーザ端末は、一般的に、ユーザが位置を変更するときに経由して通信するセルを変更する。セルラ通信システムのいくつかの例として、移動通信用のグローバルシステム（Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎ：ＧＳＭ）およびユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）がある。
【０００４】
上述の移動電話またはセルラシステムのような通信システムおよびネットワークは、大きく拡大されて最適な通信装置として広く使われている。移動またはセルラ通信装置の大衆性は、サービスを受信して他のユーザと通信する能力を維持しながら、地域から地域へのユーザの移動を可能とする移動性に部分的に起因する。この移動通信装置は、一般的にネットワークを介してエンド・ツー・エンド通信を確立する。有線「地上」通信とは異なって、携帯電話などの移動電話通信装置またはユーザ端末（ＵＥ）は、通信データを搬送するためにネットワークに結合されたサービング制御装置との接続を確立しなければならない。よって、ネットワークとの接続を確立するために、手順がサービング制御装置を経由してＵＥおよびネットワークの間で行われる。移動またはセルラ型通信および装置の手順、特徴および利点は公知である。
【発明の開示】
【発明が解決しようとする課題】
【０００５】
本発明は、サービングセル変更時に通信システム中の情報をスケジュールする方法を提供することを目的とする。
【課題を解決するための手段】
【０００６】
本発明は、一実施形態によると、サービングセル変更時の通信システム中の情報をスケジュールする方法を提供する。この方法は、サービングセルが新サービングセルに変更されたことをユーザ端末（ＵＥ）に通知するステップと、ＵＥにサービングセルが変更されたことが通知された時、ＵＥからスケジューリング情報（ＳＩ）を伝送するステップとを含む。
【０００７】
本発明の他の態様によると、通信システムが提供される。通信システムは、ユーザ端末と、基地局と、サービングセルの変更をユーザ端末に通知するように構成されたネットワークノードとを含む。ユーザ端末は、サービングセルが変更された時、基地局にスケジューリング情報を伝送するように構成されてもよい。
【０００８】
本発明の他の実施形態によると、サービングセル変更時に通信システム中の情報をスケジュールする方法が提供される。この方法は、サービングセルが新サービングセルに変更されたことをユーザ端末（ＵＥ）に通知するステップと、新サービングセルが以前のサービング無線リンクセットに属していたか否かを、ＵＥで判断するステップとを含む。この方法は、さらに、新サービングセルが以前のサービング無線リンクセットに属していなかったと判断された場合、スケジューリング情報をＵＥから伝送するステップを含む。以前のサービング無線リンクセットは、拡張専用伝送チャネル（ｅｎｈａｎｃｅｄ  ｄｅｄｉｃａｔｅｄ  ｔｒａｎｓｐｏｒｔ  ｃｈａｎｎｅｌ：ＥＤＣＨ）無線リンクセット（ｒａｄｉｏ  ｌｉｎｋ  ｓｅｔ：ＲＬＳ）であってもよい。また、伝送ステップは、サービングセルの変更の終了後に、アップリンクに伝送された第１の媒体アクセス制御（ｍｅｄｉｕｍ  ａｃｃｅｓｓ  ｃｏｎｔｒｏｌ：ＭＡＣ）プロトコルデータユニット（ｐｒｏｔｏｃｏｌ  ｄａｔａ  ｕｎｉｔ：ＰＤＵ）内のスケジューリング情報（ＳＩ）を送ることを含んでもよい。
【０００９】
本発明の一実施形態によると、さらに、通信システムを提供する。通信システムは、ユーザ端末と、基地局と、サービングセルの変更をユーザ端末に通知するように構成されたネットワークノードとを含む。ユーザ端末は、新サービングセルが以前のサービング無線リンクセットに属していたか否かを判断するように構成される。ユーザ端末は、さらに新サービングセルが以前のサービング無線リンクセットに属していなかったと判断された場合、基地局にスケジューリング情報を送るように構成される。
【００１０】
本発明の他の実施形態によると、サービングセル変更時に通信システム中の情報をスケジュールする方法が提供される。この方法は、サービングセルが新サービングセルに変更されたことをユーザ端末（ＵＥ）に通知する通知手段と、新サービングセルが以前のサービング無線リンクセットに属していたか否かを、ＵＥで判断する判断手段と、新サービングセルが以前のサービング無線リンクセットに属していなかったと判断された場合、ＵＥからスケジューリング情報（ＳＩ）を伝送する伝送手段と、を含む。
【発明を実施するための最良の形態】
【００１１】
本発明の明確な理解のために、添付図面を参照する。
上述の通信システムの概要の一例が、ユニバーサル移動通信システム（ＵＭＴＳ）である。このＵＭＴＳ地上無線アクセスネットワーク（ｔｅｒｒｅｓｔｒｉａｌ  ｒａｄｉｏ  ａｃｃｅｓｓ  ｎｅｔｗｏｒｋ：ＵＴＲＡＮ）は、無線インターフェースプロトコルアーキテクチャを具備する。特に、無線インターフェースは、物理層（Ｌ１）、データリンク層（Ｌ２）、およびネットワーク層（Ｌ３）の３つのプロトコル層からなる。Ｌ２は、媒体アクセス制御（ＭＡＣ）副層、無線リンク制御（ＲＬＣ）副層、パケットデータ収斂プロトコル（ｐａｃｋｅｔ  ｄａｔａ  ｃｏｎｖｅｒｇｅｎｃｅ  ｐｒｏｔｏｃｏｌ：ＰＤＣＰ）副層、およびブロードキャスト／マルチキャスト制御（ｂｒｏａｄｃａｓｔ／ｍｕｌｔｉｃａｓｔ  ｃｏｎｔｒｏｌ：ＢＭＣ）副層に分けられる。Ｌ３およびＲＬＣは、コントロール（Ｃ−）およびユーザ（Ｕ−）平面に分けられる。Ｃ−平面において、Ｌ３はいくつかの副層に区切られるが、無線資源制御（ｒａｄｉｏ  ｒｅｓｏｕｒｃｅ  ｃｏｎｔｒｏｌ：ＲＲＣ）と表示される最下層は、Ｌ２とインターフェース結合し、ＵＴＲＡＮで終端する。ＭＡＣ副層は、ＭＡＣ−ｄ、ＭＡＣ−ｃ／ｓｈ／ｍ、ＭＡＣ−ｈｓ、ＭＡＣ−ｅｓ／ＭＡＣ−ｅ、およびＭＡＣ−ｍなどのいくつかの異なるＭＡＣエンティティから構成される。ＭＡＣ−ｅｓ／ＭＡＣ−ｅエンティティは、ハイブリッド自動再伝送要求（ｈｙｂｒｉｄ  ａｕｔｏｍａｔｉｃ  ｒｅｐｅａｔ  ｒｅｑｕｅｓｔ：ＨＡＲＱ）機能性を提供し、拡張専用伝送チャネル（ＥＤＣＨ）と併用されるだけである。
【００１２】
ある移動通信システムにおいて、高速データ伝送は、例えば、高速ダウンリンクパケット接続（ｈｉｇｈ ｓｐｅｅｄ ｄｏｗｎｌｉｎｋ ｐａｃｋｅｔ ａｃｃｅｓｓ：ＨＳＤＰＡ）または高速アップリンクパケット接続（ｈｉｇｈ ｓｐｅｅｄ ｕｐｌｉｎｋ ｐａｃｋｅｔ ａｃｃｅｓｓ：ＨＳＵＰＡ）技術により可能である。ＨＳＤＰＡ／ＨＳＵＰＡは、高速ハイブリッド自動再伝送要求（ＨＡＲＱ）、適応変調符号化（ａｄａｐｔｉｖｅ  ｃｏｄｉｎｇ  ａｎｄ  ｍｏｄｕｌａｔｉｏｎ：ＡＭＣ）、および高速セル選択（ｆａｓｔ  ｃｅｌｌ  ｓｅｌｅｃｔｉｏｎ：ＦＣＳ）のような機能を含むことができる。このような機能は、当業者に公知であるため、その詳細な説明は省略する。
【００１３】
ＨＳＤＰＡで、高速ダウンリンク共有チャネル（ｈｉｇｈ  ｓｐｅｅｄ  ｄｏｗｎｌｉｎｋ  ｓｈａｒｅｄ  ｃｈａｎｎｅｌ：ＨＳ−ＤＳＣＨ）にデータを受信するそれぞれのＵＥは、割り当てられた関連専用チャネル（ｄｅｄｉｃａｔｅｄ  ｃｈａｎｎｅｌ：ＤＣＨ）をさらに有する。専用チャネルは、物理層の専用物理チャネル（ｄｅｄｉｃａｔｅｄ  ｐｈｙｓｉｃａｌ  ｃｈａｎｎｅｌ：ＤＰＣＨ）にマッピングされてもよい。ＤＰＣＨは、アップリンクとダウンリンクのいずれにおいても専用物理データチャネル（ＤＰＤＣＨ）および専用物理制御チャネル（ｄｅｄｉｃａｔｅｄ  ｐｈｙｓｉｃａｌ  ｃｏｎｔｒｏｌ  ｃｈａｎｎｅｌ：ＤＰＣＣＨ）に一般的に分けられる。電力制御コマンド、伝送フォーマット情報、および専用パイロットシンボルのようなデータは、ＤＰＣＣＨに伝送される。多様性フィードバック（Ｄｉｖｅｒｓｉｔｙ  ｆｅｅｄｂａｃｋ）情報のような情報も、アップリンクのＤＰＣＣＨに伝送される。ＨＳ−ＤＳＣＨは、物理層の１つまたは複数の高速物理ダウンリンク共有チャネル（ＨＳ−ＰＤＳＣＨ）にマッピングされる。関連専用チャネルは、ダウンリンクとアップリンクの両方に一般的に提供される。専用チャネルは、音声および制御データのような他の専用データだけでなく、ＨＳＤＰＡ関連情報／シグナリングを伝達するために一般的に使用される。ユーザ端末は、同時にいくつかの基地局と通信することができる。例えば、関連専用チャネルは、ソフトハンドオーバー内にあってもよい。
【００１４】
関連専用チャネルに加えて、ＨＳ−ＤＳＣＨは、共有制御チャネル（ｓｈａｒｅｄ  ｃｏｎｔｒｏｌ  ｃｈａｎｎｅｌ：ＳＣＣＨ）に関連する。ＳＣＣＨは、ＨＳ−ＤＳＣＨ上にデータを受信するユーザにＨＳ−ＤＳＣＨ特定情報／シグナリングを伝達するために利用される。
【００１５】
ＨＳＵＰＡは、移動装置またはユーザ端末（ＵＥ）から基地局（Ｎｏｄｅ  Ｂ）へのアップリンクを、ＨＳＤＰＡの速度と同様に高速でデータを処理できるように開発されたデータアクセスプロトコルである。電子メールおよびビデオダウンロードのような大部分のアプリケーションに対し、データは、アップリンクの速度よりかなり速い速度でダウンリンク方向に流れる。しかしながら、画像会議のような所定のアプリケーションは、データをアップリンクとダウンリンクの両方向に高速で流すことを必要とする。よって、質の高いサービスを提供するために、ＨＳＵＰＡ技術は、ダウンリンクの速度と同様に高速でアップリンクを確実に行わせるように開発されている。ＨＳＵＰＡは、遅延を減少し、また容量および処理量を増加して、移動端末のユーザが経験知識を向上することができるチャネルである、拡張アップリンク専用伝送チャネル（ＥＤＣＨ）を利用する。カバレージは、ユーザ経験の重要な一面であるため、オペレータに全セル領域にわたって動作の一貫性を与えられることが好ましい。
【００１６】
従来技術の解決策によると、パケットスケジューラは、無線ネットワーク制御装置（ｒａｄｉｏ  ｎｅｔｗｏｒｋ  ｃｏｎｔｒｏｌｌｅｒ：ＲＮＣ）に位置し、よって、ＲＮＣとユーザ端末（ＵＥ）との間で無線資源制御装置（ＲＲＣ）のシグナリングの帯域幅の制約のため、瞬間トラフィックに適応する能力が制限される。よって、可変性に対応するために、パケットスケジューラは、次のスケジューリング期間で非アクティブなユーザからの影響を考慮するためにアップリンクパワーを割り当てることにおいて、愼重でなければならない。そのような解決策は、高速に割り当てられたデータレートとロングリリースタイマー値（ｌｏｎｇ  ｒｅｌｅａｓｅ  ｔｉｍｅｒ  ｖａｌｕｅ）に対しては非効率的である。よって、アップリンク専用伝送チャネルの性能を向上させる必要がある。
【００１７】
ＨＳＤＰＡと同様に、ＨＳＵＰＡは、パケットスケジューラを含むが、ＵＥはデータ伝送許可を求め、スケジューラは、何時、幾つのＵＥにデータ伝送を許可するかを決定する要求−応答の原理によって作動する。送信要求は、送信バッファおよびＵＥにおけるキューの状態に関するデータとその利用可能な電力マージンを含む。２つの基本的なスケジューリング方式がＨＳＵＰＡで利用できる。長期間応答は、それらのデータを同時に送ることができるいくつかの端末で発せられる。応答は、セルの電流負荷および端末の必須条件に応じて増加したり減少したりする。一方、短期間応答は、符号ドメインとは対照的な時間ドメインで多重端末を許可する代替スケジューリング方式である。符号および時間ドメインの両方のいくつかの端末の多重アップリンク送信を許可するために、スクランブリングおよびチャネル化コードは、共有ダウンリンクチャネルのＨＳＤＰＡで行われるように、異なる端末間で共有されない。
【００１８】
したがって、本発明の一実施形態は、３ＧＰＰのリリース６において、パケットデータトラフィックに対するアップリンクＤＣＨ（ＥＤＣＨ）を改善することに関するものである。ＲＮＣの層３より速い非リアルタイムのバースト性トラフィックのスケジューリングを容易にするために、一部のパケットスケジューラ機能をＮｏｄｅ  Ｂに分配して改善することができる。Ｎｏｄｅ  Ｂは、１つ以上のセルで、ユーザ端末（ＵＥ）へのまたはユーザ端末からの無線送信または受信に関与する論理ノードと考えられる。速いリンク適応により、パケットデータユーザ間でアップリンク電力資源をさらに効率的に共有することが可能である。パケットが一人のユーザから送信されると、スケジュールされた資源は、他のユーザが直ちに利用することができる。そのような解決策によって、高速データレートがユーザに割り当てられるときのノイズ上昇のピーク型可変性が、バースト性の高データレートアプリケーションを作動することを防止する。
【００１９】
本発明の一実施形態によると、パケットスケジューラ機能性の多くは、ＥＤＣＨを利用してＮｏｄｅ  Ｂに伝達される。換言すると、アップリンク資源を割り当てるために提供するＮｏｄｅ  Ｂスケジューラが存在する。Ｎｏｄｅ  Ｂスケジューラは、他セルの干渉を監視し、相対的応答（以下、後述する）をサービングＮｏｄｅ  Ｂとして作用しないＵＥに送って処理資源の不足に関してサービング無線ネットワーク制御装置（ｓｅｒｖｉｎｇ  ｒａｄｉｏ  ｎｅｔｗｏｒｋ  ｃｏｎｔｒｏｌｌｅｒ：ＳＲＮＣ）に報告するだけでなく、アップリンク資源をサービングＮｏｄｅ  Ｂとして作用するＵＥに割り当てるためのものである。
【００２０】
データ送信のために、ＵＥは、ＵＥの最大送信電力とスケジューラによって許容された最大電力の制約を条件として、無線リンク制御（ｒａｄｉｏ  ｌｉｎｋ  ｃｏｎｔｒｏｌ：ＲＬＣ）バッファで送信されるデータの量に適合する伝送形式の組み合わせ（ＴＦＣ）を選択する。必要に応じて、ＵＥは、アップリンクでレート要求（Ｒａｔｅ  Ｒｅｑｕｅｓｔ：ＲＲ）メッセージを送ることによりさらに多くの資源を求めることができ、Ｎｏｄｅ  Ｂは、ダウンリンクでレート応答メッセージで応答することにより、追加資源を許可するか否かを決めることができる。効率的なＮｏｄｅ  Ｂスケジューリングのために、一部の情報は、ＵＥから求められてもよい。例えば、バッファ状態、電力状態、使用されているＭＡＣ−ｄフローまたは論理チャネルに関連する優先情報は、ＵＥにより提供される必要のあるすべての情報である。この情報は、スケジューリング情報（ＳＩ）と呼ばれる。
【００２１】
本発明の他の態様によると、サービングセルが変更される時、ＳＩにより何が行えるかを判断する方法およびシステムが提供される。本発明の一態様による方法の一例が、図１に示されている。一方、本発明の他の態様によるシステムの一例は、図２に示されている。一実施形態において、ＳＩは、サービングセル変更時に、新サービングセルがサービングＥＤＣＨ  ＲＬＳ（すなわち、サービングセルを含み、同一のＮｏｄｅ  Ｂの制御下の１つのセルセット）に属していなかった場合に送られる。換言すると、ＵＥは、単にＮｏｄｅが変更された場合にのみサービングセル変更時にＳＩを送る。無線資源制御（ｒａｄｉｏ  ｒｅｓｏｕｒｃｅ  ｃｏｎｔｒｏｌ：ＲＲＣ）シグナリングにより、サービングセルが変更されたことがＵＥに通知された場合に、新サービングセルが以前のサービングＥＤＣＨ  ＲＬＳに属していたか否かをチェックする。以前のサービングＥＤＣＨ  ＲＬＳに属していなかった場合、ＵＥは、第１のＭＡＣ−ｅＰＤＵにスケジューリング情報を含ませ、サービングセルの変更の終了後に、アップリンクにスケジューリング情報を送る。このようにして、新しいサービングＮｏｄｅ  Ｂは、最新のスケジューリング情報を受信することができる。
【００２２】
具体的に、サービングセルが変更されたことをＵＥに最初に通知すること（ステップ１００）が図１に示されている。ＵＥは、例えば、ＲＲＣシグナリングによってサービングセルの変更を通知される。次に、ＵＥは、新サービングセルが以前のサービングＥＤＣＨ  ＲＬＳに属していたか否かを判断する（ステップ１１０）。新サービングセルが実際に以前のサービングＥＤＣＨ  ＲＬＳに属する場合、ＵＥは、Ｎｏｄｅ  Ｂにスケジューリング情報を送らない（ステップ１２０）。しかしながら、新サービングセルが以前のサービングＥＤＣＨ  ＲＬＳに属していなかった場合、ＵＥは、その後Ｎｏｄｅ  Ｂにスケジューリング情報を送る（ステップ１３０）。結果として、新サービングセルが以前（すなわち、サービングセルの変更前）のサービングＥＤＣＨ  ＲＬＳに属していた場合、スケジューリング情報は送られず、それにより、不要なシグナリングを回避する。
【００２３】
スケジューリング情報は、例えば、ＭＡＣ−ｅＰＤＵのようなアップリンク媒体アクセス制御（ｍｅｄｉｕｍ  ａｃｃｅｓｓ  ｃｏｎｔｒｏｌ：ＭＡＣ）パケットデータユニット（ｐａｃｋｅｔ  ｄａｔａ  ｕｎｉｔ：ＰＤＵ）に伝達される。本発明の実施形態によると、ＵＥは、第１のＭＡＣ−ｅＰＤＵにスケジューリング情報を含んで、サービングセルの変更の終了後に、アップリンクにスケジューリング情報を送ることができる。
【００２４】
ＥＤＣＨの場合、ＭＡＣ−ｅおよびＭＡＣ−ｅｓの２つのＭＡＣ副層が存在する。ＭＡＣ−ｅｓは、ＭＡＣ−ｅ上に置かれ、ＭＡＣ−ｄからＰＤＵｓを直接受信する。同一の大きさで、特定論理チャネルからのＭＡＣ−ｅｓ  ＳＤＵｓ（すなわち、ＭＡＣ−ｄＰＤＵｓ）は、ＭＡＣ−ｅｓヘッダが加えられた、単一ＭＡＣ−ｅｓペイロードにともに多重化される。ＭＡＣ−ｅヘッダは、ＰＤＵｓの数とデータ記述インジケータ（ｄａｔａ  ｄｅｓｃｒｉｐｔｉｏｎ  ｉｎｄｉｃａｔｏｒ：ＤＤＩ）値を含むことができる。ＤＤＩフィールドは、論理チャネル、ＭＡＣ−ｄフローおよび関連ＭＡＣ−ｅｓＰＤＵと連結されたＭＡＣ−ｄＰＤＵｓの大きさを識別する。十分な空間がＥＤＣＨ送信ブロックに残っているか、またはスケジューリング情報を送信する必要があれば、ＳＩは上述したように、ＭＡＣ−ｅＰＤＵの端部に含まれるだろう。
【００２５】
Ｎｏｄｅ  Ｂ制御されたスケジューリングは、ＵＥがどのようにこのシグナリングと関連して動作すべきであるかに関する１セットのルールとともに、アップリンクおよびダウンリンク制御に基づいている。ダウンリンクにおいて、資源表示（スケジューリング応答）は、使用できるアップリンク資源の最大量をＵＥに表示することを必要とする。スケジューリング応答を発する場合、Ｎｏｄｅ  Ｂは、ＳＲＮＣにより、またスケジューリング要求においてＵＥから提供されたＱｏＳ−関連情報を利用することができる。
【００２６】
絶対的応答および相対的応答の２類型の応答がある。絶対的応答は、ＵＥが使用できるＵＬ資源の最大量の絶対的制限を提供する。相対的応答は、以前に使用された値に比べて資源制限を増加させ、または減少させる。ＵＥは、サービングＥＤＣＨセルからの絶対的応答およびサービングＥＤＣＨ  ＲＬＳからの相対的応答を受信することができる。非サービングＲＬＳは、相対的応答をＵＥに送るだけである。
【００２７】
ＵＥがＮｏｄｅ  Ｂからの資源を要求するために、スケジューリング要求は、スケジューリング情報（ＳＩ）およびハッピービットの形態で送信することができる。ＳＩはＲＲＣで構成されて、報告が必要な論理チャネル用として送信することができるのに対し、ハッピービットは、ＥＤＣＨ専用物理制御チャネル（ＥＤＰＣＣＨ）上に送信することができる。ハッピービットは、ＭＡＣからＥＤＰＣＣＨ上の介在物である物理層に通過される単一ビットフィールドである。ハッピービットフィールドは、２つの値、すなわちＵＥが資源をさらに使用するか否かを指示する“ハッピーでない”または“ハッピー”を表すことができる。
【００２８】
上述のように、図２は、本発明の一実施形態によるシステムを示している。システムは、サービングセル変更が起きたことをＵＥ２１０に通知するネットワークノードまたはエレメント２００を含むことができる。本発明の一例において、このネットワークエレメントは、ＲＲＣシグナリング２００である。ＲＲＣシグナリング２００からの通知を受信すると、ＵＥ２１０は、新サービングセルが以前のサービングＥＤＣＨ  ＲＬＳに属していたか否かを判断する。ＵＥ２１０からＮｏｄｅ  Ｂ２２０までのスケジューリング情報の送信は、新サービングセルが以前のサービングＥＤＣＨ  ＲＬＳに属していなかった場合にのみ、トリガされる。
【００２９】
図３は、システムのエレメント間で送信されるメッセージのダイヤグラムを示している。上述のように、ＲＲＣシグナリング２００は、サービングセルが変更されたことをＵＥ２１０に知らせる（ステップ４０）。ＵＥ２１０は、その後、この新サービングセルが以前のサービングＥＤＣＨ  ＲＬＳに属していたか否かを判断する。属していなかった場合、Ｎｏｄｅ  Ｂ２２０へのスケジューリング情報の送信は、トリガされる（ステップ４１）。結果として、スケジューリング情報は、Ｎｏｄｅ  Ｂも変更された場合の、サービングセル変更後にのみＮｏｄｅ  Ｂに送信されることにより、不要なシグナリングを回避する。
【００３０】
上述のように、ＵＥは、ＳＩに次の事項を含むことができる。
・バッファにデータを有する最優先のチャネルの論理チャネルＩＤ。
論理チャネルＩＤフィールドは、利用可能なデータで最優先の論理チャネルとこのように指示された論理チャネルに関連しているＱｏＳ情報とを識別する。
・全体報告されたバッファの一部としてバッファにデータを有する最優先の論理チャネルに対するバッファ状態と全体バッファ状態を含むことができるＵＥバッファ占有率。
・利用可能な電力比対ＤＰＣＣＨの評価。
ＳＩは、ＭＡＣ−ｅＰＤＵの端部に位置し、また、上述のように、ＵＥに必要なシステム資源量および実際に利用することができる資源量に対する良好な観点で、サービングＮｏｄｅ  Ｂに提供するために使われる。
【００３１】
当業者は、上述のような本発明が、異なる手順のステップ、および／または開示された構成と異なる構成のハードウェアエレメントにより行われることを容易に理解できるだろう。よって、たとえ、本発明がこのような好ましい実施形態に基づいて説明されているとしても、本発明の精神と範囲内において一定の修正、変化、および代替構成が可能であることは当業者に明白である。本発明の境界を決めるために、添付のクレームを参照すべきである。
【図面の簡単な説明】
【００３２】
【図１】本発明の一実施形態による方法を示す図である。
【図２】本発明の一実施形態によるシステムを示す図である。
【図３】本発明の一例によって伝送されるメッセージのダイヤグラムを示す図である。
【図１】
2008547343.tif 000003
【図２】
2008547343.tif 000004
【図３】
2008547343.tif 000005
【国際調査報告】
2008547343.tif 000006
2008547343.tif 000007
2008547343.tif 000008
2008547343.tif 000009